(57)【特許請求の範囲】
【請求項１】
高速データ接続を通じた無線ネットワークにおける第１のセルと、低速接続を通じた前記無線ネットワークにおける第２のセルとに、移動体無線装置が同時に接続されている場合に、当該移動体無線装置において、
前記第１のセルから受信した送信電力アップ制御コマンド及び送信電力ダウン制御コマンドを実行し、
前記第２のセルから受信した送信電力アップ制御コマンドを実行し、
前記第２のセルから受信した送信電力ダウン制御コマンドを無視する、
ことを特徴とする方法。
【請求項２】
前記高速データ接続は、エンハンスド個別チャネル（Ｅ−ＤＣＨ）高速データ接続である、
ことを特徴とする請求項１に記載の方法。
【請求項３】
前記低速接続は、リリース９９（Ｒ９９）無線アクセスベアラを使用する、
ことを特徴とする請求項１に記載の方法。
【請求項４】
前記第２のセルは、エンハンスド個別チャネル（Ｅ−ＤＣＨ）高速データ接続に対応していない、
ことを特徴とする請求項１に記載の方法。
【請求項５】
前記移動体無線装置は、前記無線ネットワークに対する同時の音声及びデータ接続に対応し、前記第２のセルへの前記低速接続は音声接続である、
ことを特徴とする請求項１に記載の方法。
【請求項６】
無線ネットワークにおけるセルのアクティブセットを保持する移動体無線装置において、
前記アクティブセットが第１のセルのみを含む場合、当該アクティブセットにおける当該第１のセルから受信した全ての送信電力制御コマンドを実行し、
前記アクティブセットのいずれのセルも前記移動体無線装置との高速上りリンク接続を維持していない場合、当該アクティブセットにおける任意のセルから受信した全ての送信電力制御コマンドを実行し、
前記アクティブセットにおける前記移動体無線装置との高速上りリンク接続を維持している任意のセルから受信した全ての送信電力制御コマンドを実行し、
前記アクティブセットが、前記移動体無線装置に対するアクティブ接続を伴う高速上りリンクセルと、低速上りリンクセルとを、少なくとも含む場合、
前記低速上りリンクセルが前記移動体無線装置とのアクティブ接続を維持している場合、前記低速上りリンクセルから受信した送信電力アップ制御コマンドを実行し、
前記低速上りリンクセルが前記移動体無線装置とのアクティブ接続を維持していない場合、前記低速上りリンクセルから受信した送信電力アップ制御コマンドを無視し、
前記低速上りリンクセルから受信した全ての送信電力ダウン制御コマンドを無視する、
ことを特徴とする方法。
【請求項７】
前記高速上りリンクセルは、前記移動体無線装置に対してエンハンスド個別チャネル（Ｅ−ＤＣＨ）高速データ接続を提供するように構成される、
ことを特徴とする請求項６に記載の方法。
【請求項８】
前記低速上りリンクセルは、前記移動体無線装置に対してリリース９９（Ｒ９９）無線アクセスベアラを提供するように構成される、
ことを特徴とする請求項７に記載の方法。
【請求項９】
前記移動体無線装置は、リリース９９（Ｒ９９）無線アクセスベアラを用いた前記無線ネットワークとの音声接続と、エンハンスド個別チャネル（Ｅ−ＤＣＨ）高速データ接続を用いたデータ接続とを同時に維持する、
ことを特徴とする請求項８に記載の方法。
【請求項１０】
無線送受信器に接続されたアプリケーションプロセッサを有する移動体無線装置であって、
前記アプリケーションプロセッサは、
無線ネットワークにおける第１のセルと第２のセルとから送信電力制御コマンドを受信し、
前記移動体無線装置が音声接続により前記第２のセルに接続されると共に、高速データ接続により前記第１のセルに接続される場合、前記第２のセルから受信した送信電力ダウン制御コマンドを無視し、
前記無線ネットワークから受信した送信電力制御コマンドに基づいて前記無線送受信器に送信電力設定を送る、
ための命令を実行するように構成され、
前記無線送受信器は、
前記アプリケーションプロセッサから送信電力設定を受け取り、
前記アプリケーションプロセッサから受け取った前記送信電力設定に基づいて、送信電力増幅器を設定する、
ように構成されることを特徴とする移動体無線装置。
【請求項１１】
前記アプリケーションプロセッサは、さらに、前記第１のセルから受信した送信電力アップ制御コマンドと送信電力ダウン制御コマンドとに基づいて、送信電力設定を決定するように構成された命令を実行するように構成される、
ことを特徴とする請求項１０に記載の移動体無線装置。
【請求項１２】
前記アプリケーションプロセッサは、さらに、前記第２のセルから受信した送信電力アップ制御コマンドに基づいて、送信電力設定を決定するように構成された命令を実行するように構成される、
ことを特徴とする請求項１０に記載の移動体無線装置。
【請求項１３】
前記高速データ接続は、エンハンスド個別チャネル（Ｅ−ＤＣＨ）無線アクセスベアラを使用する、
ことを特徴とする請求項１０に記載の移動体無線装置。
【請求項１４】
前記音声接続はリリース９９（Ｒ９９）無線アクセスベアラを使用する、
ことを特徴とする請求項１０に記載の移動体無線装置。
【請求項１５】
前記アプリケーションプロセッサは、さらに、前記移動体無線装置において保持されているセルのアクティブセットが前記高速データ接続を伴う前記第１のセルとアクティブ接続を伴わない第３のセルとを含む場合に、
前記第１のセルから受信した送信電力アップ制御コマンドと送信電力ダウン制御コマンドとを実行し、
前記第３のセルから受信した送信電力アップ制御コマンドと送信電力ダウン制御コマンドとを無視する、
ように構成された命令を実行することを特徴とする請求項１０に記載の移動体無線装置。
【請求項１６】
無線ネットワークに接続される移動体無線装置における送信電力を制御するための複数の命令を含むコンピュータ可読記録媒体であって、
前記複数の命令は、実行されるときに、移動体無線装置に、
前記移動体無線装置におけるアクティブセットが少なくとも２つのセルを含み、第１のセルはアクティブな高速データ接続を伴い、第２のセルは低速接続に対応するように構成される場合、
前記第１のセルから受信した送信電力アップ制御コマンドと送信電力ダウン制御コマンドとを実行させ、
前記第２のセルに伴うアクティブ接続がない場合、前記第２のセルから受信した送信電力アップ制御コマンドと送信電力ダウン制御コマンドとを無視させ、
前記第２のセルに伴うアクティブな低速接続が存在する場合、当該第２のセルから受信した送信電力ダウン制御コマンドを無視する一方で、当該第２のセルからの送信電力アップ制御コマンドを実行させる、
ように構成されることを特徴とするコンピュータ可読記録媒体。
【請求項１７】
前記高速データ接続は、第３世代（３Ｇ）又はその後の世代の通信プロトコルに基づく第１の無線アクセスベアラを使用し、前記低速接続は、第２世代（２Ｇ）又はその前の世代の通信プロトコルに基づく第２の無線アクセスベアラを使用する、
ことを特徴とする請求項１６に記載のコンピュータ可読媒体。
【請求項１８】
第１の無線アクセスベアラは、エンハンスド個別チャネル（Ｅ−ＤＣＨ）無線アクセスベアラであり、
第２の無線アクセスベアラは、リリース９９（Ｒ９９）無線アクセスベアラである、
ことを特徴とする請求項１６に記載のコンピュータ可読媒体。
【請求項１９】
前記低速接続は音声接続を提供する、
ことを特徴とする請求項１６に記載のコンピュータ可読媒体。
【発明の詳細な説明】
【技術分野】
【０００１】
説明される実施形態は、一般的に無線移動体通信に関する。より具体的には、移動体無線通信装置と無線通信ネットワークとの間の通信に用いられる送信電力レベルを制御する方法が説明される。
【背景技術】
【０００２】
［関連出願との相互参照］
この出願は、２０１１年１月１３日に出願されると共に「移動体装置における電力制御」とタイトルを付された米国特許出願第１３／１８２３６９号に対する優先権を主張し、２０１１年１月７日に出願されると共に「移動体装置における電力制御」とタイトルを付された米国仮出願第６１／４３０９１０に対する優先権を主張する、２０１２年１月５日に出願されると共に「移動体装置における電力制御」とタイトルを付された国際特許出願第ＰＣＴ／ＵＳ２０１２／０２０３６４号に対する利益及び優先権を主張するものであり、これらのそれぞれが、言及することによって、ここにその全てが組み入れられる。
携帯電話又は無線パーソナルデジタルアシスタントのような移動体無線通信装置は、例えば、音声通信、テキストメッセージング、インターネット閲覧、及び電子メールを含む、広範な種類の通信サービスを提供することができる。移動体無線通信装置は、「セルエリア」を重畳させる無線通信ネットワークにおいて動作することができ、各セルエリアは、そのセルエリア内（又はそのセルエリアのエッジ）に位置する無線周波数アクセスネットワークシステムから広がる無線信号カバレッジの地理的エリアを提供する。無線周波数アクセスネットワークシステムは、通信用グローバルシステム（ＧＳＭ（登録商標））ネットワークにおける無線基地局装置（ＢＴＳ）、又はユニバーサル移動通信システム（ＵＭＴＳ）ネットワークにおけるノードＢを含むことができる。無線周波数アクセスネットワークシステムは、また、符号分割多元接続２０００（ＣＤＭＡ２０００）ネットワークにおける無線アクセスネットワーク（ＲＡＮ）を含むことができる。用語「セルアリア」は、ＵＭＴＳネットワークに対して「セル」と、そして、ＧＳＭネットワーク又はＣＤＭＡ２０００ネットワークに対して「セクタ」と、呼ばれる場合がある。ここでは、専門用語を単純化し、一貫性を維持するために、移動体無線通信装置が地理的エリアをカバーする無線周波数アクセスネットワークシステムの少なくとも一部に接続されるとき、移動体無線通信装置が「セル」に接続されると説明する。複数のセルのための複数の信号が所与の地理的位置において重畳してもよく、移動体無線通信装置は、無線通信ネットワークにおける１つ以上のセルに接続することができる。
【０００３】
無線ネットワークは、新しい装置と古い装置との間の後方互換性を確保するために、異なる世代の通信プロトコルに基づいて、同時に、いくつかの異なるサービスを提供することができる。無線ネットワーク内の異なるセルは、また、無線ネットワークが進化するのにつれて、選択的に更新されることができ、したがって、すべてのセルが、移動体無線通信装置に対して、同じ能力を用意するわけではないかもしれない。進化した移動体無線通信装置は、異なるセルへの複数のサービス接続を同時にサポートすることができ、そして、１つのサービス接続は、同時に動作する別個のセルへの別のサービス接続と異なる世代の通信プロトコルを使用することができる。複数のセルに接続されるとき、移動体無線通信装置は、自身が接続される複数のセルのうちの１つ以上から送信電力制御コマンドを受信することができる。送信電力制御コマンドは、移動体無線通信装置の送信電力レベルを規定することができる。高速データサービスのようないくつかのサービスは、低速な音声又はデータサービスより高い送信電力レベルを要求しうる。しかしながら、移動体無線通信装置のための送信電力レベルは、移動体無線通信装置が低速の音声又はデータサービスのために接続されることができるセルにおいて、無線ネットワークサブシステムによって、より低い送信電力レベルに設定されうる。より低い送信電力レベルは、低速の音声又はデータサービスには適切であるが、移動体無線通信装置が異なるセルに同時に高速データ接続のための送信を行うことを妨げうる。
【発明の概要】
【発明が解決しようとする課題】
【０００４】
したがって、無線通信ネットワークにおいて、移動体無線通信装置と複数のセルとの間での通信に使用される送信出力をより効率的に制御することに対する要求が存在する。
【課題を解決するための手段】
【０００５】
説明される実施形態は、一般的に、無線移動体通信に関する。より具体的には、移動体無線装置と無線通信ネットワークとの間の送信電力制御を管理する方法及び装置が説明される。
【０００６】
ある実施形態において、移動体無線装置が無線ネットワークにおける第１のセル及び第２のセルと接続されている場合に、移動体無線装置において、送信電力制御を管理する方法が実行される。移動体無線装置は、高速データ接続を通じて第１のセルに接続し、第２のセルに低速接続を通じて接続する。方法は、少なくとも以下のステップを含む。移動体無線装置は、高速データ接続を伴う第１のセルから受信した、送信電力アップ制御コマンド及び送信電力ダウン制御コマンドを実行する。移動体無線装置は、低速接続を伴う第２のセルから受信した送信電力アップ制御コマンドを実行する。移動体無線装置は、第２のセルから受信した送信電力ダウン制御コマンドを無視する。１つの実施形態において、高速データ接続は、エンハンスド個別チャネル（Ｅ−ＤＣＨ）高速データ接続であり、低速接続は、リリース９９（Ｒ９９）無線アクセスベアラを使用する。
【０００７】
別の実施形態では、無線ネットワークにおけるアクティブセットを維持する移動体無線装置において、送信電力制御を管理する方法が実行される。アクティブセットが１つのセルのみを含む場合、移動体無線装置は、アクティブセット内のその単一のセルから受信した全ての送信電力制御コマンドを実行する。アクティブセットのセルがいずれも移動体無線装置との高速上りリンク接続を維持していない場合、移動体無線装置は、アクティブセット内の任意のセルから受信した全ての送信電力制御コマンドを実行する。移動体無線装置は、また、移動体無線装置が高速上りリンク接続を維持している、アクティブセット内のセルから受信した、全ての送信電力制御コマンドを実行する。アクティブセットが、少なくとも、移動無線装置がアクティブ接続を維持している高速上りリンクセルと、また低速上りリンクセルとを含む場合、移動体装置は、以下の３つの追加のステップを実行する。低速上りリンクセルが移動体無線装置とのアクティブな接続を維持する場合、移動体無線装置は、低速上りリンクセルから受信した送信電力アップ制御コマンドを実行する。低速上りリンクセルが移動体無線装置とのアクティブな接続を維持しない場合は、送信電力アップ制御コマンドを無視する。移動体無線装置は、低速上りリンクセルから受信した送信電力ダウン制御コマンドを全て無視する。
【０００８】
別の実施形態において、移動体無線装置は、無線ネットワーク内のセルに信号を送信し、そのセルから信号を受信する無線送受信器と、無線送受信器に接続されるアプリケーションプロセッサとを有する。アプリケーションプロセッサは、以下の命令を実行するように構成される。アプリケーションプロセッサは、無線ネットワーク内の第１のセルと第２のセルとから送信電力制御コマンドを受信する。アプリケーションプロセッサは、移動体無線装置が音声接続により第２のセルと接続されると共に高速データ接続により第１のセルに接続される場合、第２のセルから受信される送信電力ダウン制御コマンドを無視する。アプリケーションプロセッサは、無線ネットワークから受信した送信電力制御コマンドに基づいて、無線送受信器に対して送信電力設定を送る。無線送受信器は、アプリケーションプロセッサから、送信電力設定を受け取るように構成される。無線送受信器は、また、アプリケーションプロセッサから受け取った送信電力設定に基づいて、送信電力増幅器を設定するように構成される。
【０００９】
さらなる実施形態では、非一時的なコンピュータ可読媒体においてエンコーディングされる、無線ネットワークに接続される移動体無線装置における送信電力を制御するためのコンピュータプログラム媒体が説明される。移動体無線装置におけるアクティブセットが、移動体無線装置に対するアクティブな高速接続を有する第１のセルと、低速な接続を支持するように構成される第２のセルとの、少なくとも２つのセルを含む場合に、以下のコンピュータプログラムコードが、移動体無線装置において使用される。コンピュータプログラムコードは、移動体無線装置に対するアクティブな高速接続を有する第１のセルから受信された送信電力アップ制御コマンドと送信電力ダウン制御コマンドとを実行するように構成される。追加のコンピュータプログラムコードは、第２のセルにおいてアクティブな接続がない場合、第２のセルから受信された送信電力アップ制御コマンドと送信電力ダウン制御コマンドとを無視するように構成される。
【００１０】
本発明とその利点は、添付の図面と併用される以下の説明を参照することにより、最もよく理解されるかもしれない。
【図面の簡単な説明】
【００１１】
【図１Ａ】無線セルラ通信ネットワーク内に位置する移動体無線通信装置を説明する図。
【図１Ｂ】無線セルラ通信ネットワーク内に位置する移動体無線通信装置を説明する図。
【図２】無線通信ネットワークのための階層構造を説明する図。
【図３】図２の無線通信ネットワークで使用される移動体無線通信装置のための通信プロトコルスタックを説明する図。
【図４】移動体無線通信装置における要素を説明する図。
【図５】無線通信ネットワークにおける移動体無線装置のための送信電力制御の測定及び通信を説明する図。
【図６】無線通信ネットワークにおいてノードＢに接続されるセルにおける、受信信号と干渉電力レベルとを説明する図。
【図７】移動体無線通信装置における送信電力レベルの変動を説明する図。
【図８】無線通信ネットワークにおける、高速データ接続のためのノードＢに接続されるセルにおける受信信号と干渉電力レベルを説明する図。
【図９】無線通信ネットワークにおける２つの異なるセルのうちの１つからの送信電力制御に基づく、当該２つの異なるセルにおける受信電力レベルの変化を示す図。
【図１０】移動体無線通信装置における追加の送信電力レベルの変動を説明する図。
【図１１】高速データ接続無線ベアラの設定失敗のイベントの典型的なシーケンスを示す図。
【図１２】無線通信ネットワークにおける上りリンク負荷インバランスを説明する図。
【図１３】移動体無線通信装置における送信電力制御のための典型的な方法を説明する図。
【図１４】移動体無線通信装置における送信電力制御のための別の典型的な方法を説明する図。
【図１５】アクティブセットセルのタイプと送信電力制御コマンドの実行との間の関係をまとめた図。
【発明を実施するための形態】
【００１２】
以下の説明では、説明される実施形態に内在する概念の完全な理解を与えるために、多くの特定の詳細について説明する。しかしながら、当業者であれば、これらの特定の詳細のうち、いくつか又は全てを用いずに、説明される実施形態が実施されうることを理解するだろう。換言すれば、内在する概念を不必要にあいまいにすることを防ぐために、よく知られた処理のステップについては、詳細に説明していない。
【００１３】
図１Ａは、移動無線通信装置１０６が接続することができる、重畳する無線通信セルエリアの無線通信ネットワーク１００を図解している。各無線通信セルエリアは、中心にある無線周波数アクセスネットワークシステムから延びる地理的エリアをカバーすることができる。移動体無線通信装置１０６は、無線周波数アクセスネットワークシステムの一部である無線周波数送信及び受信装置の集合体でありうるセルに、接続することができる。図１Ａは、無指向性アンテナに基づくセルエリアを伴って生じうるような、各無線周波数アクセスネットワークシステムを囲むセルエリアを示している。別のネットワーク構成として、図１Ｂは、１つの特定の方向によりフォーカスされうるセルエリアを有する、無線通信ネットワーク１２０を図解している。図１Ｂでは、複数のセルエリアが、六角形の領域の頂点に置かれた無線周波数アクセスネットワークシステムから放射状に延びうる。各セルエリアは、無線周波数アクセスネットワークシステムの一部である、無線周波数装置から放射状に延びることができる。
【００１４】
図１Ａでは、移動体無線通信装置１０６がセルエリアに対応する無線周波数装置に接続される場合、移動体無線通信装置１０６が、セルに接続されていると称する場合がある。移動体無線通信装置１０６は、無線通信ネットワーク１００の多くの異なるセルから通信信号を受信することができ、各セルは、移動体無線通信装置から異なる距離に位置する場合がある。第２世代（２Ｇ）無線通信ネットワーク、例えば、移動体通信用グローバルシステム（ＧＳＭ）に従うネットワークでは、移動体無線通信装置１０６は、無線通信ネットワーク１００における各セルに、時間的に連続的に１つの無線リンクを用いて接続することができる。例えば、移動体無線通信装置１０６は、初期的に、サービングセルエリア１０２において無線周波数アクセスネットワークシステム１０４に接続することができる。移動体無線通信装置１０６は、隣接セルエリアに位置する他の無線周波数アクセスネットワークシステムからの信号を監視することができる。移動体無線通信装置１０６は、移動体無線通信装置が無線通信ネットワーク１００の中で移動するのに応じて、サービングセルエリア１０２における無線周波数アクセスネットワークシステム１０４から、隣接セルエリア１１０における無線周波数アクセスネットワークシステム１０８へ、その接続を遷移させることができる。
【００１５】
より単純な専門用語を使用して、移動体無線通信装置１０６が、１つのセルから他のセルへと接続を遷移すると述べることができる。移動体無線通信装置１０６は、近隣のセルからの信号を監視することができ、そして、移動体無線通信装置１０６において、セルのそれぞれから受信した信号品質の跡を保持しておくことができる。受信信号品質についての情報は、移動体無線通信装置から無線通信ネットワーク１００へ、測定メッセージ（又はより一般的に管理メッセージ、又は制御メッセージ）を用いて、連絡されてもよい。無線通信ネットワーク１００は、測定メッセージにおいて供給された情報を、移動体無線通信装置１０６が接続されうるセルを変更するか否か、及びいつ変更するかを決定するのに使用することができる。
【００１６】
ユニバーサル移動体通信システム（ＵＭＴＳ）プロトコルのような、第３世代（３Ｇ）無線通信ネットワークでは、移動体無線通信装置１０６は、複数の無線アクセスベアラを通じて、１つ以上の無線周波数アクセスネットワークシステムに同時に接続されることができる。無線アクセスベアラのそれぞれは、第１の無線アクセスベアラ上で音声サービス、及び第２の無線アクセスベアラ上でデータサービス、のように、異なる通信サービスを独立して伝送することができる。移動体無線通信装置１０６は、また（無線周波数アクセスネットワークシステム１０４が同時の複数の無線リンク接続に対応している場合）、同時に複数の無線アクセスベアラによって、サービングセルエリア１０２における無線周波数アクセスネットワークシステム１０４に接続されてもよい。移動体無線通信装置は、また、第１の無線アクセスベアラによってサービングセルエリア１０２における無線周波数アクセスネットワークシステム１０４に接続されると共に、隣接セルエリア１１０における第２の無線周波数アクセスネットワークシステム１０８に接続されてもよい。場合によって「スマート」フォンと呼ばれる、進化した移動体無線通信装置は、複数の無線アクセスベアラを伴う接続を用いて、ユーザに多種多様なサービスを提供することができる。例えば、１つのセルは、データ接続を提供することができ、一方で、第２のセルは、音声接続を提供することができる。または、１つのセルが標準化された通信プロトコルの１つのバージョンを使用する高速データ接続を提供することができ、第２のセルが、異なるバージョンの標準化された通信プロトコルを使用する、低速データ接続、音声接続、またはシグナリング接続を提供することができる。無線ネットワークの異なるセルにおけるネットワーク装置の能力は様々な時間で変化することができ、従って、無線ネットワークにおける全てのセルが必ずしも同一のサービスを提供するわけではない場合がある。
【００１７】
符号分割多元接続（ＣＤＭＡ）ネットワークにおいて、移動体無線通信装置１０６は、また、特に、ソフトハンドオフ（またはソフトハンドオーバ）として知られる手順の間に、複数の無線リンクを通じて、無線通信ネットワーク１００に接続されうる。移動体無線通信装置１０６が無線通信ネットワークを行き来している間、通信サービスに対する連続的なアクセスには、異なるセルに位置する異なる無線周波数アクセスネットワークシステム間のシームレスなハンドオフが要求される場合がある。移動体無線通信装置１０６は、移動体無線通信装置１０６により１つ以上の異なる無線周波数アクセスネットワークシステムから受信された信号品質の測定値を含みうる、管理メッセージを、無線通信ネットワーク１００へ送信することができる。信号品質の典型的な測定値は、受信信号符号電力（ＲＳＣＰ）及び総雑音／干渉に対するチップあたり電力比（ＥcＩo）を含んでもよい。移動体無線通信装置１０６が第１のセルにおいて第１の無線周波数接続により無線基地局装置に接続される一方で、無線通信ネットワーク１００は、第１の無線周波数接続を打ち切る前に「ソフトハンドオフ」を提供するために、移動体無線通信装置１０６と第２のセルにおける無線基地局装置との間の第２の無線周波数接続を加えることができる。このように、移動体無線通信装置１０６は、第１のセルにおける第１の無線基地局装置に接続されることができ、その後、２つの異なるセルに位置する２つの無線基地局装置に同時に接続されることができ、その後、第２のセルにおける第２の無線基地局装置に接続されることができる。ソフトハンドオフが成功すると、第１の無線周波数接続が信号品質において劣化する一方で、第２の無線周波数接続が信号品質において改善する場合に、移動体無線通信装置１０６と無線通信ネットワーク１００との間の通信リンクを維持することができる。
【００１８】
移動体無線通信装置１０６は、様々な時間において、無線通信ネットワーク１００のセル１０２／１１０から、異なる距離に位置する場合がある。セルにおける無線周波数アクセスネットワークシステム１０４／１０８は複数の無線通信装置１０６から同時に信号を受信することができるため、無線周波数アクセスネットワークシステム１０４／１０８は、移動体無線通信装置１０６の送信電力を制御することができる。理想的には、各移動体無線通信装置１０６に対する受信信号電力が、無線周波数アクセスネットワークシステム１０４／１０８における受信器にとって好ましい範囲内でありうる。無線周波数アクセスネットワークシステム１０４／１０８からより遠くに位置する移動体無線通信装置１０６は、同じ無線周波数アクセスネットワークシステム１０４／１０８のより近くに位置する移動体無線通信装置１０６より高い電力レベルで送信することができる。異なる移動体無線装置１０６から同じ無線周波数アクセスネットワークシステム１０４／１０８への伝送のための異なる距離に起因して、無線周波数アクセスネットワークシステム１０４／１０８において受信される信号は、同様の範囲内の受信信号電力を有しうる。異なる距離にある異なるセルに位置する無線周波数アクセスネットワークシステム１０４／１０８に同時に接続される場合、移動体無線通信装置１０６は、異なるセルからの異なる要求を調和させる、歩み寄った送信信号レベルに設定されうるが、送信信号レベルは、いくつかのサービスに対しては十分である一方で他のサービスに対しては不十分となりうる。
【００１９】
ＣＤＭＡ又は広帯域ＣＤＭＡ（Ｗ−ＣＤＭＡ）技術を使用するネットワークでは、移動体無線通信装置１０６は、スペクトラム拡散として知られる技術において、同一の周波数スペクトラムを使用して送信することができる。したがって、異なる移動体無線通信装置１０６からの送信が重畳することができる。無線通信ネットワーク１００における無線周波数アクセスネットワークシステム１０４／１０８は、移動体無線通信装置１０６のそれぞれの送信を、共通の周波数スペクトラムから、それぞれの移動体無線通信装置のためのユニークな擬似ランダム符号系列を用いて抽出することができ、したがって、その名が符号分割多元接続（ＣＤＭＡ）となっている。１つの移動体無線通信装置１０６による送信を、他の移動体無線通信装置１０６からの信号の受信に対しては干渉（又は雑音）とみなすことができる。ある無線周波数アクセスネットワークシステム１０４／１０８に接続される移動体無線通信装置１０６の数は、受信干渉レベルを設定することができる。無線通信ネットワーク１００は、受信干渉レベルを受信信号レベルと共に考慮するように、移動体無線通信装置１０６の送信電力レベルを設定することができる。このように、送信電力制御は、無線通信ネットワーク１００の中の異なる無線周波数アクセスネットワークシステム１０４／１０８との効率的な通信を行うために、複数の無線通信装置１０６の要求を調和させなければならない。
【００２０】
移動体装置１０６が無線ネットワーク１００における無線周波数アクセスネットワークシステム１０４／１０８に接続する図１Ａに対する上述の説明は、図１Ｂで図解されている無線ネットワーク１２０における無線周波数アクセスネットワークシステムに対する移動体装置１０６の接続に同様に適用することができる。移動体無線通信装置１０６は、複数の無線周波数アクセスネットワークサブシステムから信号を受信することができる。図１Ｂに示すように、単一の無線周波数アクセスネットワークサブシステムは、いくつかの異なるセルエリア１２２において、無線周波数信号を送信し受信することができる。各セルエリア１２２は、無線周波数アクセスネットワークシステム１２４／１２８における無線周波数装置によって生成されうる。移動体無線通信装置１０６が、サービングセルエリア１２６をカバーする無線周波数アクセスネットワークシステム１２４に接続されている場合、移動体無線通信装置１０６が無線周波数アクセスネットワークシステム１２４により生成されたセルに接続されていると述べる場合がある。同様に、移動体無線通信装置は、隣接セルエリア１３０をカバーする無線周波数アクセスネットワークシステム１２８によって生成されるセルに接続することができる。
【００２１】
図２は、ＵＭＴＳアクセスネットワーク要素を含む３ＧのＵＭＴＳ無線通信ネットワーク２００を図解している。ＵＭＴＳ無線通信ネットワーク２００において動作する移動体無線通信装置１０６は、ユーザ端末（ＵＥ）２０２と呼ばれてもよい。（移動体無線通信装置１０６は、ＧＳＭネットワーク及びＵＭＴＳネットワークのような、異なる無線ラジオアクセスネットワーク技術を使用する様々な無線通信ネットワークに接続する能力を含むことができ、従って、以下の説明も、このような「マルチネットワーク」の装置に同様に適用されうる。）ＵＭＴＳ無線ネットワークにおいては、ＵＥ２０２は、１つ以上の無線ネットワークサブシステム（ＲＮＳ）２０４／２１４によって、１つ以上の無線リンク２２０を通じて生成されうる、１つ以上のセル２４４に接続することができる。各ＲＮＳは、無線ネットワーク制御装置（ＲＮＣ）、及び、「ノードＢ」２０６／２１０／２１６として知られる１つ以上の無線周波数アクセスネットワークサブシステムを含むことができる。ＲＮＳ２０４とＲＮＳ２１４は、共に、ＵＭＴＳ地上無線アクセスネットワーク（ＵＴＲＡＮ）２４２を形成することができる。
【００２２】
図２に示すように、第１のＲＮＳ２０４は、複数のノードＢ２０６／２１０を含むことができる。各「ノードＢ」２０６／２１０は、ＵＥ２０２が接続することができる、複数のセル２４４を生成するために、無線周波数の信号を送信し受信することができる。ＲＮＳ２０４におけるＲＮＣ２１２は、複数のノードＢ２０６／２１０とコアネットワーク２３６との間の通信を管理することができる。同様に、第２のＲＮＳ２１４は、コアネットワーク２３６に接続することもできるノードＢ２１６とＲＮＣ２０８を含むことができる。ＵＭＴＳネットワークにおけるＵＥ２０２は、２ＧのＧＳＭネットワークにおける移動体無線通信装置１０６とは異なり、１つより多くのＲＮＳに同時に接続することができる。各ＲＮＳは、回線交換音声ネットワークを通じた音声接続のため及びパケット交換データネットワークを通じたデータ接続のためのような、異なるサービスのための、別個の接続を、ＵＥ２０２に対して提供することができる。各無線リンク２２０は、また、ＵＥ２０２とそれぞれのＲＮＳ２０４／２１４との間の信号を転送する１つ以上の無線アクセスベアラを含むことができる。複数の無線アクセスベアラは、別個の接続において別個のサービスのために、又は所与の接続のための追加の無線リソースを用いたサービスを補完するために使用されることができる。
【００２３】
図２は、また、ＵＥ２０２が、１つ以上のノードＢ２０６／２１０／２１６により生成されるセル２４４に関連する１つ以上の無線リンク２２０を通じて無線周波数アクセスネットワークに接続できることを図解している。ＵＥ２０２は、ノードＢ２０６に対する単一のセル２４４に接続することができる。ＵＥ２０２は、また、２つセル２４４に接続することができ、その２つのセルは、（図においてＲＮＳ２０４におけるノードＢ２０６／２１０のような）同一のＲＮＳにおける２つの異なるノードＢによって、又は、（図においてＲＮＳ２０４におけるノードＢ２１０のような）同一のノードＢによって、生成されうる。さらに、ＵＥ２０２は、（ＲＮＳ２０４におけるノードＢ２１０とＲＮＳ２１４におけるノードＢ２１６のような）異なるＲＮＳに位置する異なるノードＢにより生成される複数のセル２４４に接続することができる。典型的には、ＵＥ２０２のための音声又はデータサービス接続のような、単一のサービスは、単一のＲＮＳにおける単一のＲＮＣによって処理されうる。単一のＲＮＣは、ＲＮＣに接続される１つ以上のノードＢによって生成される１つ以上のセルを通じて、ＵＥ２０２へ信号を送信できることを確実にすることができる。音声サービス接続と別個のデータサービス接続のような、複数のサービスは、また、同一の又は異なるノードＢにより生成される複数のセルによって処理されてもよい。図２に示すように、ＵＥ２０２は、１つのサービスのために、ＲＮＣ２１２に接続されるノードＢ２１０に接続されるセル２４４に、接続されることができ、また、同時に、第２のサービスのために、ＲＮＣ２０８に接続されるノードＢ２１６に接続されるセル２４４に、接続されることができる。
【００２４】
コアネットワーク２３６は、音声トラフィックを外部の公衆交換電話網（ＰＳＴＮ）２３２へ運ぶと共に外部の公衆交換電話網（ＰＳＴＮ）２３２から運ぶことができる回線交換ドメイン２３８と、データトラフィックを外部の公衆データ網（ＰＤＮ）２３４へ運ぶと共に外部の公衆データ網（ＰＤＮ）２３４から運ぶことができるパケット交換ドメイン２４０との両方を含むことができる。音声及びデータトラフィックは、各ドメインによって独立してルーティングされ転送されることができる。各ＲＮＳ２０４／２１４は、音声及びデータトラフィックの両方を、複数のＵＥ２０２に対して、合成して運ぶことができる。回線交換ドメイン２３８は、移動体加入者を他の移動体加入者へ、又はゲートウェイＭＳＣ（ＧＭＳＣ）２３０を通じて他のネットワークの加入者へ接続する、複数の移動通信交換局（ＭＳＣ）２２８を含むことができる。パケット交換ドメイン２４０は、１つ以上のゲートウェイＧＰＲＳサポートノード（ＧＧＳＮ）２２６を通じて移動体加入者とＰＤＮ２３４における他のデータソース及び受信装置との間のデータトラフィックをルーティングする、サービングＧＰＲＳサポートノード（ＳＧＳＮ）２２４と呼ばれる、複数のサポートノードを含むことができる。コアネットワーク２３６の回線交換ドメイン２３８とパケット交換ドメイン２４０は、並行して動作することができ、両ドメインは、異なる無線アクセスネットワークに同時に接続することができる。
【００２５】
図２に示されるＵＭＴＳ無線通信ネットワーク２００は、ＵＥ２０２が複数の無線アクセスベアラを通じて無線通信ネットワークに接続する、いくつかの異なる構成に対応することができる。第１の構成では、ＵＥ２０２の「ソフト」ハンドオフが、ＵＥ２０２がＵＭＴＳ無線通信ネットワーク２００の範囲内で位置を変化させるとき、第２のＲＮＳ２０４と第２のＲＮＳ２１４との間で発生しうる。ＲＮＳ２０４を通じた第１の無線アクセスベアラは、その第１の無線アクセスベアラを非アクティブ化する前に、第２のＲＮＳ２１４を通じた第２の無線アクセスベアラによって補われることができる。この場合、複数の無線アクセスベアラを、通信の信頼性を向上させるために使用することができ、ＵＥ２０２は、典型的には、１つのサービスを、複数の無線アクセスベアラを通じて使用し続けることができる。第２の構成では、ＵＥ２０２は、パケットデータ接続に対応するために、第１のＲＮＳ２０４を通じてパケット交換ドメイン２４０に接続することができ、同時に、音声接続に対応するために、第２のＲＮＳ２１４を通じて回線交換ドメイン２３８に接続することができる。この場合、ＵＥ２０２は、異なる無線アクセスベアラをそれぞれのサービスのために維持することができる。第３の構成では、単一のＲＮＳが、同一のＵＥ２０２に対して、それぞれが異なるサービスに対応する複数の無線アクセスベアラに対応することができる。第２の構成及び第３の構成に対しては、各無線アクセスベアラが異なるサービスに同時に対応することができるため、それらの確立と開放とが独立であることが望ましい場合がある。
【００２６】
図３は、レイヤ化されたプロトコルスタック３００を示しており、ＵＥ２０２は、それを用いて、メッセージの交換を通じてＵＭＴＳ無線通信ネットワーク２００との接続を確立し、開放することができる。セッション管理レイヤのような、レイヤ化されたプロトコルスタック３００における上位レイヤ３１０は、無線通信ネットワーク２００に対して、ＵＥ２０２の接続を要求することができる。セッション管理レイヤからの接続要求は、プロトコルスタック３００のレイヤ３における無線リソース制御（ＲＲＣ）処理ブロック３０８からプロトコルスタック３００のレイヤ２における無線リンク制御（ＲＬＣ）処理ブロック３０６へと受け渡される、ＲＲＣサービスデータユニット（ＳＤＣ）として知られる、一連の個別のパケット化されたメッセージをもたらすことができる。レイヤ３のＳＤＵは、通信リンクのそれぞれの端においてレイヤ３ピア間の通信の基本単位に相当しうる。各レイヤ３のＲＲＣ  ＳＤＵは、ＲＬＣ処理ブロック３０６によって、通信リンクを介した伝送のための、ナンバリングされた一連のレイヤ２のＲＬＣプロトコルデータユニット（ＰＤＵ）に分割されうる。レイヤ２のＲＬＣ  ＰＤＵは、通信リンクの各端におけるレイヤ２ピア間の、データ転送の基本単位に相当しうる。レイヤ２のＲＬＣ  ＰＤＵは、プロトコルスタック３００における追加の下位レイヤ、すなわち、論理チャネル３１４をトランスポートチャネル３１２へマッピングする媒体アクセス制御（ＭＡＣ）レイヤ３０４及び無線リンクの「エア」インタフェースを提供する物理レイヤ３０２を通じて、送信されることができる。通信リンクの受信端（不図示）において、レイヤ２のＲＬＣ  ＰＤＵは、ＲＬＣ処理ブロックにより、遠隔装置（又は他の端）における相補的なＲＲＣ処理ブロックへ運ぶための完全なレイヤ３のＳＤＵを形成するように再構築されることができる。ＲＬＣ  レイヤ２処理ブロック３０６における誤り検査を伴う分割及び再構築機能は、レイヤ３のＲＲＣ  ＳＤＵが完全かつ正確に送信され、受信されることを確実にすることができる。
【００２７】
図４は、アプリケーションプロセッサ（ＡＰ）４０２と送受信器（ＸＣＶＲ）４０４とを含む移動体無線通信装置１０６の処理要素４００を示している。ＡＰ４０２は、接続の要求、無線周波数リンクの性能の監視、無線通信ネットワーク１００との制御メッセージの交換、受信した電力制御コマンドの解釈及び送受信器４０４の設定の構成のような、上位レイヤの機能を実行することができる。ＡＰ４０２は、移動体無線通信装置１０６がＸＣＶＲ４０４を通じて受信した信号から得られた、測定情報を含むメッセージを形成することができる。送受信器４０４は、無線通信ネットワーク１００における１つ以上の無線ネットワークサブシステム１０４／１０８（又は等価的に、階層的な無線通信ネットワーク２００におけるＲＮＳ２０４／２１４により生成されたセル）と、無線周波数信号の送信及び受信をすることができる。送受信器４０４は、また、アプリケーションプロセッサ４０２から受け取ったコマンドに基づいて、その送信器（及び受信器）を設定することができる。コマンドは、アプリケーションプロセッサ４０２により、無線通信ネットワーク１００における無線周波数アクセスネットワークシステム１０４／１０８から受信した制御コマンドに基づいて、形成されることができる。図４に示される処理要素４００は、無線通信ネットワーク２００において動作するＵＥ２０２に等しく適用される。
【００２８】
図５は、無線ネットワーク制御装置（ＲＮＣ）５１８に順に接続するノードＢ５０２と接続されるＵＥ２０２間の信号通信５００を示している。ＵＥ２０２は、下りリンク（ＤＬ）方向において、ノードＢ５０２から受信した信号を測定し、その下りリンク測定値５０８をノードＢ５０２へ報告することができる。ノードＢ５０２は、上りリンク（ＵＬ）方向において、ＵＥ２０２から受信した信号を測定することができる。ノードＢ５０２は、また、他のＵＥ５０４から受信した信号を測定することができる。他のＵＥ５０４から受信された信号は、ＵＥ２０２から受信されたＵＬ信号に関して、干渉／雑音レベルを形成するために合成することができる。ＵＬ及びＤＬの両方の測定値５１２は、ＲＮＣ５１８へ報告されてもよい。報告されるＵＬ及びＤＬ測定値５１２は、１つ以上の信号強度と、受信信号符号電力（ＲＳＣＰ）、受信信号強度（ＲＳＳ）、信号符号電力対干渉雑音比（Ｅｃ／Ｉｏ）、搬送波干渉／雑音比（Ｃ／Ｉ）、信号対干渉比（ＳＩＲ）又は他の適切なメトリックを含む信号品質メトリックとを含むことができる。ＲＮＣ５１８は、ノードＢ５０２のためのターゲットＳＩＲ値５１４を決定し、その値をノードＢ５０２に返して連絡することができる。ノードＢ５０２は、受け取ったターゲットＳＩＲ値５１４に基づいて、ＵＥの送信電力を調節する（５１６）ために、１つ以上の電力制御コマンドをＵＥ２０２へ送る。ノードＢ５０２及びＲＮＣ５１８は共に、ノードＢにおいて、他のＵＥ５０４からの干渉信号の存在下で所望のＳＩＲ値を満たすことができる、ＵＥ２０２からの受信信号電力レベルを設定するために、ＵＥ送信電力５１６を調節する（５１６）ことができる。加えて、ノードＢにおいて、受信干渉雑音レベルに寄与しうる他のＵＥ５０４からの干渉、さらなる雑音源及び干渉が存在しうる。
【００２９】
図６は、典型的な、ノードＢ５０２に接続されているＵＥ２０２のための信号レベルの電力周波数密度６００を示している。縦軸は、ノードＢにおいて測定された受信信号電力値を表すことができ、一方で、横軸は、無線周波数の値を表すことができる。ノードＢ５０２で測定されたＵＥ２０２からの受信ＵＥ信号６０２は、他のＵＥ５０４から受信した受信干渉信号６０４より狭い周波数の範囲に広がりうる。信号対干渉比６０６を、図示のように縦方向において測ることができる。ＳＩＲのターゲット値６０６は、安定的な接続を維持するのに、そして、ＵＬ方向においてＵＥ２０２からの受信信号を所望の復号エラーレベル以下で復号するのに、干渉と比較して十分な信号強度を確保することができる。より高いＳＩＲ６０６値は、より高い伝送レートに対応することができ、一方で、より低いＳＩＲ６０６値は、より低い伝送レートにしか対応できない。高速データサービスのようなあるサービスは、音声サービス又は低速データサービスのような他のサービスより高いＳＩＲ６０６値を要求するかもしれない。ＵＥ２０２からの過剰な送信電力レベルを、同一のノードＢ５０２に接続されうる他のＵＥ５０４への干渉レベルを低減するために、回避してもよい。異なる送信電力レベルは、また、ノードＢにおける電力消費に影響する場合があり、バッテリ電力に依存する持ち運び可能な移動体無線通信装置１０６は、可能な場合、電力消費を最小化する（したがって、送信電力レベルを制限する）ように構成されてもよい。
【００３０】
（それぞれがユニークな擬似ランダム系列数を有するパイロット信号のセットとして表されうる）セルのアクティブセットは、ＵＥ２０２と無線通信ネットワーク１００との間にアクティブ接続が存在するセルを含むことができる。ＵＥ２０２がより強い信号を受信するセルは、音声、データ又はシグナリング接続に対応するために、無線リンクを用いたＵＥ２０２と無線ネットワークとの間の接続を補完するために、アクティブセットに加えられてもよい。アクティブセット内のセルの数は制限されてもよく、より強いセルが加えられた場合、より弱いセルが除かれてもよい。アクティブセットにおける全て乗せるが、必ずしも、同一のサービスに対応しなくてもよい。アクティブセットにおけるいくつかのセルは高速データ接続を提供してもよい一方で、アクティブセット内の他のセルは高速データ接続を提供しなくてもよい。
【００３１】
図７は、ノードＢ５０２から受信した送信電力制御コマンドの系列に基づいてレベルが変動するＵＥ２０２の送信電力レベル７００を示している。ノードＢ５０２は、アップ送信電力制御コマンド（Ｕ）とダウン送信電力制御コマンド（Ｄ）をそれぞれ用いて、ＵＥ２０２の送信電力レベル７００を増加させ、減少させることができる。ノードＢ５０２は、受信した送信電力制御コマンドに応答してＵＥ送信電力レベルが近接し又は近いレベルを維持する、好ましいＵＥ送信電力レベル７０２を有する。ノードＢ５０２は、ＵＥ２０２から受信した信号レベルを測定し、測定した信号レベル（及び干渉レベル）を、間接的にノードＢにとって好ましいＵＥ送信電力レベル７０２に設定することができるターゲットＳＩＲ６０６と、繰り返し比較する。
【００３２】
図８は、２つの異なる電力レベルを要求しうる２つの異なるサービスに対する、ノードＢ５０２における受信電力レベル８００を示している。ノードＢ５０２をＵＥ２０２に接続するための無線アクセスベアラの１つのタイプを使用することができるサービスは、第１の受信電力レベル８０２を要求することができ、一方で、ノードＢ５０２をＵＥ２０２に接続するための無線アクセスベアラの異なるタイプを使用することができる第２のサービスは、第２の電力レベル８０４を要求しうる。第２の電力レベル８０４は、第１の電力レベル８０２より高くてもよい。１つの実施形態において、「より高い電力」のサービスは、エンハンスド個別チャネル（ＥＤＣＨ）無線アクセスベアラを使用することができ、一方で、「より低い電力」のサービスは、非ＥＤＣＨ無線アクセスベアラを使用することができる。ＥＤＣＨ無線アクセスベアラを介して使用されるような、より高いデータレートの接続に対応するのに要求される追加の受信信号電力８０６は、「基礎の」より低いデータレート接続、音声接続、又はシグナリング接続に要求されるＵＥ信号電力６０２に加えられてもよい。ノードＢ５０２によって特定されたターゲットＳＩＲ６０６は、より高いデータレートのＥＤＣＨ接続に要求される実際のＳＩＲより低くてもよい。
【００３３】
図９は、（それぞれ、同一の無線ネットワークに置ける異なる無線ネットワーク制御装置に接続された異なる無線アクセスネットワークシステムの一部でありうる）２つの異なるノードＢ９０２／９０４に接続される、ＵＥ２０２のための送信電力制御の変化９００を示している。ＵＥ２０２は、ノードＢ９０４により生成された「セルＢ」に対する高速データＥ−ＤＣＨ接続９０８により、そして、ノードＢ９０２により生成された「セルＡ］に対する低速データ、音声、又はシグナリングの少なくともいずれかの非Ｅ−ＤＣＨ接続９０６により、同時に接続されうる。ＵＥ２０２の送信電力レベルは、初期的には、ノードＢ９０４に対するＥ−ＤＣＨ接続とノードＢ９０２に対する非Ｅ−ＤＣＨ接続との両方に対応するレベルにありうる。図９に示すように、ＵＥ２０２からの、ノードＢ９０４において測定された受信信号電力は、ノードＢ９０４によって設定されたターゲットＳＩＲ９２０を超過する実際のＳＩＲ９１８をもたらす。追加のＥ−ＤＣＨ電力９２２が、高速データサービス接続に対応するためのＥ−ＤＣＨ接続のために要求されうる。図示するように、受信した送信電力レベルは、Ｅ−ＤＣＨに要求されるＳＩＲに対応するのに十分でありうる。
【００３４】
ＵＥ２０２が同時に接続されうるノードＢ９０２がどれであるかによらず、ＵＥ２０２における送信器は同一の送信電力レベルを使用することができるため、ノードＢ９０２において、非Ｅ−ＤＣＨ接続９０６に対して受信される送信電力レベルは、非Ｅ−ＤＣＨ接続９０６に対応するのに要求されるより高くなる場合がある。ノードＢ９０２の受信器において測定された実際のＳＩＲ９１２は、非Ｅ−ＤＣＨ接続に対応するための、そして、ＵＥ２０２から他のＵＥ（不図示）への干渉を最小限に保つための、ノードＢ９０２に対して望ましいターゲットＳＩＲ９１４より高い場合がある。ノードＢ９０２は、超過電力レベル９１６を認識することができる。ＵＥ２０２が２つの異なるノードＢ９０２／９０４から異なる距離に位置する場合、ノードＢ９０２／９０４において測定された受信電力レベルに違いが生じうる。ＵＥ２０２から非Ｅ−ＤＣＨ接続９０６のためのノードＢ９０２への距離は、ＵＥからＥ−ＤＣＨ接続９０４のためのノードＢ９０４への距離より小さい場合がある。したがって、ノードＢ９０２によって生成されたセルは、ＵＥ２０２からの受信信号強度に関して、ノードＢ９０４によって生成されたセルより「良好」である場合がある。
【００３５】
超過電力レベル９１６、すなわちターゲットＳＩＲ９１４を超えている実際のＳＩＲ９１２の測定に応答して、ノードＢ９０２は、ターゲットＳＩＲ９１４と合致するレベルへその送信電力を提言するように、１つ以上の電力ダウン制御コマンドを、ＵＥ２０２へ送信することができる。電力ダウン制御コマンドの結果として、ＵＥ２０２は、その送信電力レベルを低下させ、その結果、ノードＢ９０２において受信される実際のＳＩＲ９２４が低減される。受信された低減後の実際のＳＩＲ９２４は、ノードＢ９０２に接続されたＲＮＣ（不図示）により設定されたターゲットＳＩＲ９１４に相当しうる。ノードＢ９０２からの電力ダウン制御コマンドに応答して、ＵＥ２０２の送信電力を下げた結果として、ノードＢ９０４における受信した実際のＳＩＲ９２６は、ターゲットＳＩＲ９２０を下回る場合がある。ＵＥ２０２からの実際の送信電力レベルは、Ｅ−ＤＣＨ接続に対応するには不十分９２８となりうる。したがって、あるノードＢにより生成された「非ＥＤＣＨセル」からの電力制御コマンドは、好ましくないことに、別のノードＢにより生成された「ＥＤＣＨセル」に対する高速データ接続の安定性に影響を及ぼしうる。
【００３６】
図１０は、第１のノードＢ９０４によって生成されたセルＢと第２のノードＢ９０２によって生成されたセルＡとから受信した電力制御コマンドに応答したＵＥ送信電力レベルの変化１０００を示している。電力レベルは、初期的には、高速データサービス接続に対応するためのＵＥ２０２とノードＢにより生成されたセルＢとの間でＥ−ＤＣＨ接続により設定されうる。その後、電力レベルは、ＵＥ２０２が同時の非Ｅ−ＤＣＨ接続を維持しうるセルＡのためのノードＢにより、低減されうる。高速データサービス接続に対応するための、セルＢのためのノードＢ９０４にとって好ましいＵＥ２０２のための第１の送信電力レベル９０６は、セルＡのためのノードＢ９０２にとって好ましいＵＥ２０２のための第２の送信電力レベル９０８より高い場合がある。
【００３７】
図１１は、図１０に示される、送信電力レベルの低減が高速データサービス接続を維持するためのＵＥ２０２の能力に影響を及ぼしうるのと同様に、送信電力レベルの低減が、ＵＥ２０２の高速データサービス接続を確立するための能力に影響を及ぼしうることのシナリオ１１００を示している。ＵＥ２０２の送信電力レベルを縦軸により表すことができる一方で、横軸はそれぞれの時間を示すことができる。無線通信ネットワーク１００におけるセルに対するＥ−ＤＣＨ無線アクセスベアラを用いた安定かつ最小エラーの高速データサービス接続を維持するために、ＵＥ２０２に対する要求送信電力レベル１１１６が存在しうる。ＵＥ２０２は、初期的に、セルのアクティブセットのうち、（パイロット＃１のラベルで示される）セル１１０２に接続されうる。ＵＥ２０２は、無線ネットワークにおける他のセルからの受信信号を監視することができ、受信信号の測定値に基づいて、ＵＥ２０２は、アクティブセットにセルを加え、または除くことができる。１つの実施形態において、アクティブセット内へのまたは外へのセルの移動は、ＵＥ２０２と、無線通信ネットワークのエレメント、例えば１つ以上のＢＴＳとＲＮＣとの少なくともいずれかとの、メッセージの交換を要求する場合がある。図１１に示すように、ＵＥ２０２は、第２のセルを、アクティブセット（ＡＳ）に追加（パイロット＃２を追加、のラベルで示される）することができる。ＵＥ２０２によって受信される第２のセルからのパイロット信号の、ＵＥ２０２において測定された受信信号強度と信号品質との少なくともいずれかが、所定の時間区間の間に所定の閾値を越えることができた場合に、第２のセルが追加されてもよい。同様に、ＵＥ２０２は、受信され測定された、第３のセルからの信号強度と信号品質との少なくともいずれかに基づいて、第３のセルを追加（パイロット＃３を追加、のラベルで示される）してもよい。
【００３８】
第２のセルと第３のセルとのアクティブセットへの追加後、無線通信ネットワーク１００は、追加された第２および第３のセルのためのノードＢにおいて測定された受信信号強度と信号品質との少なくともいずれかに基づいて、ＵＥ２０２に対して、１つ以上の送信電力制御コマンドを送ってもよい。ノードＢにおいて測定された実際のＳＩＲが、第２のセルと第３のセルとの少なくともいずれかのためのターゲットＳＩＲを超える場合、無線通信ネットワーク１００は、（ノードＢを介して）ＵＥ２０２に対して、１つ以上の送信電力ダウン制御コマンドを送ることができ、その結果、ＵＥ２０２の送信電力レベルが下がる（イベント１１０８）。無線通信ネットワーク１００は、ＵＥ２０２からの低減された送信電力レベルは、追加された第２と第３のセルとの少なくともいずれかへ、十分な信号品質で接続することができるものであることを認識することができるが、第１のセルへの接続は、ＵＥ２０２の送信電力の変化により劣化しうる。結果としてのＵＥ２０２からの送信電力レベルは、Ｅ−ＤＣＨ無線アクセスベアラを介するような、第１のセルへの安定した高速データサービス接続を確立し、維持するために要求されるレベル１１１６を下回る場合がある。
【００３９】
初期的に、ＵＥ２０２は、第１のセルに接続されるが、Ｅ−ＤＣＨ無線アクセスベアラを用いた高速データ接続を伴わなくてもよいことに留意されたい。ＵＥ２０２は、その後、第１のセルに対するＥ−ＤＣＨ無線アクセスベアラをセットアップするように、高速データサービス接続を開始することができる。Ｅ−ＤＣＨ無線アクセスベアラのセットアップの開始（イベント１１１０）は、第２のセルと第３のセルがアクティブセットに追加された（イベント１１０４／１１０６）後、すぐに起こりうる。ＵＥ２０２による無線通信ネットワーク１００へのイベントの報告のタイミングは、ＵＥ送信電力レベルが要求されるＥ−ＤＣＨ無線アクセスベアラをセットアップして維持するのに要求されるレベルより下へ下がっている場合があっても、ＵＥ２０２が高速上りリンクデータ接続のためにＥ−ＤＣＨ無線ベアラのセットアップを試みる場合があるように、変動しうる。図１１に示すシナリオでは、ＵＥ２０２は、ネットワークにおける第２のセルと第３のセルからの信号強度がターゲットＳＩＲを超えうるため、第２のセルと第３のセルとを追加した後にネットワークから送信電力ダウンコマンドを受け取る場合がある。その一方で、ＵＥ２０２は、第２のセルと第３のセルとの少なくともいずれかがそのときにアクティブセット内の「最良の」セルであることを、ネットワークにまだ報告していないかもしれない。図示されるＵＥ２０２は、「非最良の」セルに、高速データ接続の確立に影響を与えうる、新しいより低い送信電力レベルを用いて、「非最良の」セルに対する高速データ接続を要求するかもしれない。図１１に示す典型的な例において、ＵＥ２０２からの上りリンク方向における、第１のセルにおいて受信される弱い信号が、第２および第３のセルへの上りリンク方向における１つ以上のより強い信号接続と同時に存在する場合、要求されたＥ−ＤＣＨ接続を確立することができない場合がある。ＵＥ２０２とより強い第２および第３のセルとの間の接続は、非高速データ、音声、またはシグナリング接続を運ぶことができるが、高速データに対応することができない場合がある。したがって、ＵＥ２０２は、Ｅ−ＤＣＨ接続を通じた高速データ接続を、（より強い信号強度を伴いうるが高速データ接続に対応することができない）第２および第３のセルを通じてではなく、（より弱い信号強度を伴いうる）第１のセルに要求しうる。しかしながら、ＵＥ２０２の送信電力レベルを変更しうる、より強い第２および第３のセルからの送信電力制御コマンドは、第１のセルに対する高速データ接続を開始し維持するためのＵＥ２０２の能力に干渉しうる。図１１に示すように、Ｅ−ＤＣＨ無線ベアラの設定完了タイムアウト期間１１１４の後、Ｅ−ＤＣＨ１１１６のために要求されるＵＥ送信電力が利用可能なＵＥ送信電力を超えうるため、Ｅ−ＤＣＨ無線ベアラ設定は失敗するかもしれない。
【００４０】
図１２は、上りリンクの負荷における不均衡が、図９について説明した低減された送信電力レベルと同様の効果をも起こしうる場合の典型的なシナリオ１２００を示している。非ＥＤＣＨセルに対する接続に基づく送信電力制御は、ＥＤＣＨセルに対する接続（開始または安定維持）に干渉しうる。ＵＥ２０２は、非Ｅ−ＤＣＨ接続１２０６を通じてノードＢ１２０２により生成された第１の「セルＡ」と、Ｅ−ＤＣＨ接続１２０８を通じたノードＢ１２０４により生成された第２の「セルＢ」との、同時に接続されうる。セルＡへの非Ｅ−ＤＣＨ接続１２０６は、より低速なデータ接続、音声接続、シグナリング接続、またはその組み合わせでありうる。ノードＢ１２０２からのセルＡは、ＵＥ２０２への高速Ｅ−ＤＣＨデータサービス接続に対応することができない（または対応するように構成されていない）場合がある。ノードＢ１２０２により生成されたセルＡに「非高速」接続によって接続されている一方で、ＵＥ２０２は、また、ノードＢ１２０４により生成されたセルＢに対して高速Ｅ−ＤＣＨデータサービス接続により接続されることができる。
【００４１】
ＵＥ２０２は、第２のノードＢ１２０４により生成されるセルＢへより近い距離に、また、第１のノードＢ１２０２により生成されるセルＡへより遠い距離に、位置しうる。ノードＢ１２０２により生成されたセルＡからの受信下りリンク信号は（より長い距離がより大きな信号の損失を生じさせ）、ノードＢ１２０４により生成されたセルＢからＵＥ２０２により受信された、（より短い距離がより少ない信号の損失を生じさせる）受信下りリンク信号より弱いかもしれない。高い受信信号強度を測定した結果、ＵＥ２０２は、セルＢが、セルＡより「良好」なセルであるとみなすかもしれない。しかしながら、セルＡのためのノードＢ１２０２とセルＢのためのノードＢ１２０４のそれぞれが受信する干渉の量は、異なりうる。ノードＢ１２０２におけるセルＡは、より少ない他のＵＥ１２１０から信号を受信するかもしれない一方で、ノードＢ１２０４におけるセルＢは、より多くの他のＵＥから信号を受信するかもしれない。結果として、ノードＢ１２０２におけるセルＡがノードＢ１２０４におけるセルＢよりＵＥ２０２からより距離が離れた位置にあっても、ノードＢ１２０２におけるセルＡは、ノードＢ１２０４におけるセルＢにおいて測定された受信ＳＩＲ１２１８より、より低い干渉信号レベル１２１６に起因して、より高い受信ＳＩＲ１２１４を測定することができる。より多くの他のＵＥ１２１２は、セルＢのためのノードＢ１２０４において測定されるより高い干渉信号レベル１２２０を引き起こし、より低い測定されたＳＩＲ１２１８値をもたらしうる。より低い実際の測定されたＳＩＲ１２１８を用いて、ＵＥ２０２は、Ｅ−ＤＣＨ接続に対応するための予備の利用可能な送信電力１２２２が少なくなる。図１２に示す上りリンクの負荷の不均衡は、それぞれのセルにおける干渉の差が、ＵＥ２０２から、ＵＥ２０２が接続されうるセルへの経路における異なる距離に起因する減衰の差より大きい場合に、生じうる。
【００４２】
図１１および図１２にそれぞれ示すようなシナリオ１１００／１２００は、無線ネットワークにおける異なるノードＢによって生成される２つの異なるセルにおいて測定される信号電力または干渉の差が、セル（例えばセルＢ）において得られるＳＩＲの量が、高速Ｅ−ＤＣＨデータ接続を介して転送されるパケットの復号が成功するのに要求される最小値を下回ることを引き起こしうる。ＵＥ２０２が無線ネットワークにおいて接続されうる１つのセル（例えばセルＡ）は、上りリンク送信電力制御レベルを支配して、ＵＥ２０２により低い電力レベルを強いて、それにより、他のセル（例えばセルＢ）において受信される信号に利用可能な予備の電力を減らしうる。これは、接続を開始して保つためのＵＥ２０２の能力に影響を与えうる。
【００４３】
ＵＥ２０２において送信電力制御をより効率的に管理するために、ＵＥ２０２が送信電力制御コマンドにどのように応答することができるかの変更を用いる。ＵＥ２０２と第１のセルとの１つの接続が（Ｅ−ＤＣＨ無線アクセスベアラを通じるような）より高速なデータサービス接続を用いるとともに、（より低速なデータサービス、音声サービス接続またはシグナリング接続のための接続非Ｅ−ＤＣＨ無線アクセスベアラを通じるような）より高速なデータサービス接続を提供しない第２のセルへの第２の接続が存在する場合、ＵＥ２０２は、「Ｅ−ＤＣＨ」セルから受信した送信電力制御コマンドを実行するとともに、「非Ｅ−ＤＣＨ」セルから受信した送信電力制御コマンドの一部または全部を無視することができる。
【００４４】
１つの実施形態において、ＵＥ２０２は、（１）ＥＤＣＨセルがアクティブセットに存在し、（２）ＵＥ２０２とＥＤＣＨセルとの間の高速データ接続が存在し、（３）（音声、低速データまたはシグナリング接続のような）ＵＥ２０２と非ＥＤＣＨセルとの間の接続が同時に存在する場合、アクティブセット内の非Ｅ−ＤＣＨセルから受信したあらゆる送信電力ダウン制御コマンドを無視することができる。
【００４５】
別の実施形態では、ＵＥ２０２は、（１）ＥＤＣＨセルがアクティブセット内に存在し、（２）ＵＥ２０２とＥＤＣＨセルとの間の高速データ接続が存在し、（３）非ＥＤＣＨセルに対して接続が存在しない場合、アクティブセット内の非ＥＤＣＨセルからの送信電力ダウン制御コマンドと送信電力アップ制御コマンドとを無視することができる。セルは、ＵＥ２０２に対するアクティブなデータ接続、音声接続またはシグナリング接続を有さなくてもアクティブセット内にある場合がある。
【００４６】
図１３は、移動体無線通信装置１０６において送信電力制御を管理するための典型的な方法１３００を示している。移動体無線通信装置１０６は、ステップ１３０２において、無線ネットワークにおける第１のセルに対する高速データ接続が存在するかを判定することができる。移動体無線通信装置１０６と無線ネットワークにおける第１のセルとの間に高速データ接続が存在しない場合、本方法は停止する。移動体無線通信装置１０６と無線ネットワークにおける第１のセルとの間の高速無線接続が存在する場合、ステップ１３０４において、移動体無線通信装置１０６は、同時の無線ネットワークにおける第２のセルに対する低速音声、データ、またはシグナリング接続が存在するかを判定することができる。移動体無線通信装置１０６と無線ネットワークとの間に、同時の低速音声、データまたはシグナリング接続が存在しない場合、本方法は終了してもよい。移動体無線通信装置１０６と無線ネットワークとの間の、同時の低速音声、データまたはシグナリング接続が存在する場合、ステップ１３０６において、移動体無線通信装置１０６は、送信電力制御コマンドを受信しうる。
【００４７】
送信電力制御コマンドを受信した後、ステップ１３０８において、移動体無線通信装置１０６は、受信した送信電力制御子コマンドが、高速データ接続が存在する第１のセルから出されたものか、または低速接続が存在する第２のセル出されたものかを判定することができる。受信した送信電力制御コマンドが高速データ接続を伴う第１のセルから出されたものであった場合、ステップ１３１２において、移動体無線通信装置１０６は、受信した送信電力制御コマンドを実行することができる。送信電力制御コマンドは、電力アップコマンドまたは電力ダウンコマンドでありうる。しかしながら、受信した送信電力制御コマンドが低速接続（音声、データまたはシグナリング）を用いる第２のセルから出されたものであった場合、ステップ１３１０において、移動体無線通信装置１０６は、受信した送信電力制御コマンドが電力アップコマンドであるかを判定することができる。受信した送信電力制御コマンドが電力アップコマンドでない場合、本方法は終了し、そうでなければ、移動体無線通信装置１０６は、受信した送信電力制御コマンドを、ステップ１３１２において実行することができる。移動体無線通信装置への童子の高速データ接続が存在する場合に、効果的に、低速接続を有するセルから移動体無線通信装置への送信電力ダウンコマンドを無視することができる。送信電力アップコマンドは、高速データ接続セルと低速接続セルとのいずれかから受信された場合に、実行されてもよい。１つの実施形態では、高速データ接続は、エンハンスド個別チャネル（Ｅ−ＤＣＨ）高速データ接続である。１つの実施形態では、低速接続は、リリース９９（Ｒ９９）無線アクセスベアラを使用することができる。１つの実施形態では、第２のセルは、Ｅ−ＤＣＨ高速データ接続に対応することができなくてもよい。
【００４８】
図１４は、移動体無線通信装置１０６において送信電力制御コマンドを管理する別の代表的な方法１４００を示している。ステップ１４０２において、移動体無線通信装置１０６は、送信電力制御コマンドが受信されるまで待つことができる。送信電力制御コマンドは、電力アップコマンドまたは電力ダウンコマンドでありうる。送信電力制御コマンドは、移動体無線通信装置１０６に関連するアクティブセット内のセルから受信されうる。ステップ１４０４において、移動体無線通信装置１０６は、アクティブセットにおいて、１つのセルのみが存在するか、１つより多くのセルが存在するかを判定することができる。アクティブセット内に１つのセルしかない場合、ステップ１４２０において、移動体無線通信装置１０６は、受信した送信電力制御コマンドを実行する。ステップ１４２０で実行される送信電力制御コマンドは、送信電力アップコマンドであってもよいし送信電力ダウンコマンドであってもよい。移動体無線通信装置１０６が、アクティブセット内に１つのセルしか有さない場合、アクティブセット内のそのセルからの送信電力制御コマンドは、セルのタイプによらず、常に許可されうる。
【００４９】
アクティブセットが１つより多くのセルを含む場合、移動体無線通信装置１０６は、セルのタイプ、コマンドのタイプおよび接続のタイプを含む、いくつかのパラメータに応じて、受信した送信電力制御コマンドを選択的に実行することができる。ステップ１４０４においてアクティブセットが１つより多くのセルを含む場合、そして、ステップ１４０６で判定されるように、アクティブセット内のセルのいずれもが、移動体無線通信装置１０６に対する高速（ＨＳ）上りリンク接続を有さない場合、ステップ１４２０において、受信した送信電力制御コマンドが実行されてもよい。上述のように、高速上りリンク接続は、送信電力の変化に弱い場合があるが、低速データ、音声またはシグナリングに使用されるような低速上りリンク接続は送信電力制御コマンドで動作することができる。ステップ１４０６で判定されたように、アクティブセット内の少なくとも１つのセルが移動体無線通信装置１０６に対する上りリンク高速接続を有する場合、移動体無線通信装置１０６は、受信した送信電力制御コマンドのタイプ、そしていずれのタイプのセルから受信したかを判定することができる。ステップ１４０８において、移動体無線通信装置１０６は、受信した送信電力制御コマンドが、移動体無線通信装置１０６に対する上りリンク高速接続を用いるセルから受信した電力アップコマンドであるかを判定することができる。ステップ１４１０において、上りリンク高速セルからの電力アップコマンドが実行されうる。そうでない場合、移動体無線通信装置１０６は、アクティブセット内の非高速（すなわち低速）セルへの接続の状態を評価することができる。
【００５０】
ステップ１４１２において、移動体無線通信装置１０６は、アクティブセット内の非高速セルに対する低速接続（データまたは音声）またはシグナリング接続が存在するかを判定することができる。ステップ１４１２において判定されるように非高速セルに対する接続が存在する場合で、ステップ１４１４で判定されるように、非高速セルからの受信した送信電力制御コマンドが電力アップコマンドである場合、電力アップコマンドを、ステップ１４１０において実行することができる。そうでなければ、受信した送信電力制御コマンドは送信電力ダウンコマンド、または移動体無線通信装置１０６に対するアクティブな接続を有さない非高速セルから受信した送信電力制御コマンドのいずれかでありうる。移動体無線通信装置１０６に対するアクティブ接続を有しない非高速セルからの送信電力制御コマンド（電力アップまたは電力ダウン）を無視することができる。
【００５１】
ステップ１４１６では、移動体無線通信装置１０６は、受信した送信電力制御コマンドが、高速上りリンク接続を伴うアクティブセット内のセルからの送信電力ダウンコマンドであるかを判定し、肯定的な判定がなされた場合、続いてステップ１４１８において、移動体無線通信装置１０６は、送信電力ダウンコマンドを実行することができる。そうでなければ、アクティブ接続を有さない非高速セルから、またはアクティブ接続を有する非高速セルからの電力ダウンコマンドでありうる送信電力制御コマンドを、移動体無線通信装置１０６は無視することができる。
【００５２】
図１５は、移動体無線通信装置１０６のためのアクティブセットが１つより多くのセルを含むとともにアクティブセット内のセルの少なくとも１つが高速上りリンクデータ接続を有する場合に、アクティブセット内の各セルタイプからの、いずれの送信電力制御コマンドが実行されるかおよび無視されうる送信電力コマンドを、表１５００にまとめたものである。移動体無線通信装置１０６は、高速上りリンク接続を伴うセルから受信した送信電力制御コマンド（電力アップまたは電力ダウン）を実行することができる。移動体無線通信装置１０６は、また、アクティブ接続を有する非高速上りリンクセルからの送信電力アップ制御コマンドを実行することができる。アクティブ接続は、音声接続、低速データ接続またはシグナリング無線ベアラ接続（または、非高速上りリンクセルに対する、それらの組み合わせ）を含みうる。しかしながら、アクティブ接続を有する非高速上りリンクセルからの送信電力ダウン制御コマンドは無視されうる。移動体無線通信装置１０６は、また、移動体無線通信装置１０６とのアクティブ接続を有さないアクティブセット内のセルからのあらゆる送信電力制御コマンド（電力アップまたは電力ダウン）を無視することができる。
【００５３】
説明された実施形態の様々な態様を、ソフトウェア、ハードウェア、またはハードウェアとソフトウェアとの組み合わせにより実装することができる。説明した実施形態は、また、非一時的なコンピュータ可読媒体上のコンピュータプログラムコードとして実現されることができる。非一時的コンピュータ可読媒体は、その後にコンピュータシステムが読みだし可能なデータを記憶することができる、任意のデータ記憶装置である。非一時的なコンピュータ可読媒体の例は、読み出し専用メモリ、ランダムアクセスメモリ、ＣＤ−ＲＯＭ、ＤＶＤ、磁気テープおよび光学データ記憶装置である。コンピュータプログラムコードは、また、コンピュータプログラムコードが分散的に記憶され実行されるように、ネットワークに接続されたコンピュータシステムを介して配布されてもよい。
【００５４】
説明された実施形態の様々な態様、実施形態、実装または特徴は、別個にまたは任意の組み合わせで用いられることができる。説明のための上述の説明は、本発明の完全な理解を提供するために特定の用語体系を用いた。しかしながら、当業者であれば、本発明を実行するために、特定の詳細が要求されるわけではないことを理解するだろう。このように、本発明の特定の実施形態の上述の説明は図解と説明のために提示されたものである。それらは、本発明を網羅し、本発明を開示された詳細な形式に限定することを意図していない。当業者であれば、上述の教示を考慮して多くの変形および変更が可能であることは明らかであろう。
【００５５】
本発明の原理とその実際の適用をもっともよく説明し、それにより当業他者が本発明と様々な実施形態を、予期される特定の使用に適するような様々な変形を用いてもっともよく利用することを可能とするために実施形態を選択して説明した。
【図１Ａ】
0005678212.tif 000002
【図１Ｂ】
0005678212.tif 000003
【図２】
0005678212.tif 000004
【図３】
0005678212.tif 000005
【図４】
0005678212.tif 000006
【図５】
0005678212.tif 000007
【図６】
0005678212.tif 000008
【図７】
0005678212.tif 000009
【図８】
0005678212.tif 000010
【図９】
0005678212.tif 000011
【図１０】
0005678212.tif 000012
【図１１】
0005678212.tif 000013
【図１２】
0005678212.tif 000014
【図１３】
0005678212.tif 000015
【図１４】
0005678212.tif 000016
【図１５】
0005678212.tif 000017